(57)【要約】【課題】顔面筋鍛錬具用のマウスピースをカバーして清潔状態を維持できるようにすること。【解決手段】開閉可能な一対のカバー片５３，５４を有する。両カバー片５３，５４の閉じた状態においてそれらの間に収容空間が形成される。両カバー片５３，５４の縁部間に開口５９が形成される。両カバー片５３，５４は掛止め爪と受け部との掛け止めによって閉じた状態に保持される。【選択図】図２
2015208656.tif 000002
【特許請求の範囲】
【請求項１】
開閉可能な本体及び蓋体を有し、本体及び蓋体の閉じた状態においてそれらの間に収容空間を形成するとともに、両側に開口を対向状態で形成したカバー。
【請求項２】
本体及び蓋体を閉じた状態に保持する保持手段を設けた請求項１に記載のカバー。
【請求項３】
本体及び蓋体をヒンジを介して連結した請求項１または２に記載のカバー。
【請求項４】
前記保持手段を、本体及び蓋体の一方に設けられた掛止め爪と、他方に設けられ、前記掛止め爪が取り外し可能に掛止めされる受け部とにより構成した請求項２に記載のカバー。
【請求項５】
帯板状の弾性材の長さ方向の中央部に口唇で銜えることが可能な銜持部を設け、その銜持部を銜えて揺動させることにより、前記弾性材の弾性作用を利用して使用者の顔面筋に負荷を付与するようにした顔面筋鍛錬具と、前記銜持部を収容可能な請求項１〜４のうちのいずれか一項に記載のカバーとを備えた顔面筋鍛錬具セット。
【請求項６】
前記カバーは前記銜持部の口唇で銜えられる部分を覆う請求項５に記載の顔面筋鍛錬具セット。
【請求項７】
前記銜持部が前記弾性材に設けられたコアと、そのコアに着脱可能に取付けられるマウスピースとを備え、前記カバーがマウスピースを収容可能に構成されている請求項５に記載の顔面筋鍛錬具セット。
【請求項８】
帯板状の弾性材の長さ方向の中央部に口唇で銜えることが可能な銜持部を設け、その銜持部を銜えて揺動させることにより、前記弾性材の弾性作用を利用して使用者の顔面筋に負荷を付与するようにした顔面筋鍛錬具と、前記銜持部を収容可能なカバーとを備え、そのカバーは一端を閉鎖した筒形に形成され、開放された他端側が銜持部に嵌合される顔面筋鍛錬具セット。
【請求項９】
マウスピースを単独で収容可能に構成されている請求項５〜８のうちのいずれか一項に記載の顔面筋鍛錬具セット。
【発明の詳細な説明】
【技術分野】
【０００１】
本発明は、銜持部を口唇で銜えて揺動させることにより顔面筋に負荷を与えるようにした顔面筋鍛錬具において、前記銜持部を覆うことに適したカバー及びそのカバーを備えた顔面筋鍛錬具セットに関する。
【背景技術】
【０００２】
特許文献１には、弾性材よりなるアームの中央部に口唇で銜えるための銜持部を設けるとともに、前記アームの両端にウェイトを設けた顔面筋鍛錬具が開示されている。この顔面筋鍛錬具を使用する場合には、銜持部を口唇で銜えた状態で、首部を上下に振って、顔面筋鍛錬具を上下に揺動させる。このようにすれば、弾性材の弾力性とウェイトの荷重とにより、顔面筋に負荷が作用して、その顔面筋が鍛錬される。
【先行技術文献】
【特許文献】
【０００３】
【特許文献１】意匠登録第１２２３２８９号公報
【発明の概要】
【発明が解決しようとする課題】
【０００４】
前記のように、顔面筋鍛錬具の銜持部は口唇によって銜えられるものであるため、清潔に維持することが好ましい。しかしながら、特許文献１には、このための対応については開示されていない。
【０００５】
本発明は、顔面筋鍛錬具の銜える部分を清潔に保つことができるカバー及びそのカバーを備えた顔面筋鍛錬具セットを提供することにある。
【課題を解決するための手段】
【０００６】
本発明は、開閉可能な本体及び蓋体を有し、本体及び蓋体の閉じた状態においてそれらの間に収容空間を形成するとともに、両側に開口を対向状態で形成したことを特徴とする。
【０００７】
従って、収容空間内に顔面筋鍛錬具の口唇で銜えられる部分が位置するように本体及び蓋体を閉じれば、この本体及び蓋体によって銜えられる部分を覆うことができ、同部分にゴミ等の汚れが付着することを抑えることができる。
【発明の効果】
【０００８】
本発明によれば、顔面筋鍛錬具の口唇で銜えられる部分を清潔に保つことができるという効果を奏する。
【図面の簡単な説明】
【０００９】
【図１】顔面筋鍛錬具の使用状態を示す斜視図。
【図２】カバーが取り付けられた状態を示す顔面筋鍛錬具。
【図３】顔面筋鍛錬具の平面図。
【図４】顔面筋鍛錬具の正面図。
【図５】図３の５-５線断面図。
【図６】図５のブッシュ部分の成形型内における拡大断面図。
【図７】弾性板の平面図。
【図８】ブッシュを取り付けた状態の弾性板の平面図。
【図９】図４の９-９線断面図。
【図１０】マウスピースの斜視図。
【図１１】コアとマウスピースとの関係を示す分解断面図。
【図１２】マウスピースを図１１とは９０度異なる面において切断した断面図。
【図１３】図１１の１３-１３線断面図。
【図１４】ウェイト部を示す分解断面図。
【図１５】カバーの使用状態を示す断面図。
【図１６】カバーの中央部の断面図。
【図１７】カバーの開いた状態を示す斜視図。
【図１８】カバーの変形例を示す断面図。
【図１９】カバーの変形例を示す断面図。
【発明を実施するための形態】
【００１０】
以下に、実施形態を図面に従って説明する。
図１に示すように、この実施形態の顔面筋鍛錬具２１は、使用者の口唇で銜えられて、使用者が顔面筋鍛錬具２１を上下に揺動させることにより、使用者の口輪筋及びその口輪筋と繋がる頬筋，笑筋等の顔面筋が鍛錬されるようにしたものである。
【００１１】
図３，図４及び図８に示すように、顔面筋鍛錬具２１は、鋼板製の板バネよりなる直線帯板状の弾性板２２を備えている。図９及び図１１に示すように、弾性板２２の長さ方向に中央部にはポリプロピレン等の硬質樹脂よりなるコア２７が弾性板２２をインサートとした成形によって固定されている。コア２７には弾性板２２の一方の端縁から突出する突出部２７２が形成されている。コア２７の突出部２７２には中空状をなすマウスピース２８が着脱可能に取付けられ、この取付け状態のマウスピース２８により口唇によって銜えられる銜持部２４が形成されている。
【００１２】
図３，図６及び図８に示すように、弾性板２２の全体とコア２７の突出部２７２を除く部分とはポリウレタン等の合成樹脂よりなる被覆２３によってモールドされている。この被覆２３はコア２７より軟質のものによって構成されている。弾性板２２の両端部側にはそれぞれ一対の貫通孔２２２が形成されている。内側の貫通孔２２２は被覆２３の成形時に合成樹脂の進入を許容して、弾性板２２と被覆２３との結合を強化するために機能する。図５及び図６に示すように、外側の貫通孔２２２にはブッシュ２６が無理嵌めされ、弾性板２２の表裏両面から突出されている。ただし、ブッシュ２６は被覆２３の表面に露出しない高さに形成されている。弾性板２２の両端にはそれぞれ小孔２２４が透設されている。この小孔２２４も合成樹脂の進入を許容して、弾性板２２と被覆２３との結合を強化するために機能する。
【００１３】
そして、コア２７の左右両側における弾性板２２及び被覆２３により左右一対のアーム３１が形成されている。アーム３１において被覆２３の先端部には、それぞれウェイト部２５が設けられている。
【００１４】
そして、図１に示すように、銜持部２４を口唇によって銜えて顔面筋鍛錬具２１全体が上下に揺動されることにより、ウェイト部２５の荷重や弾性板２２の弾力性等に基づき、両アーム３１が揺動に共振して上下に振動される。ここで、共振とは、銜持部２４に所定範囲内の振動数の振動が加えられた際に、アーム３１が大きく振動することをいう。特に、アーム３１が振動する場合においてアーム３１の端部が銜持部２４の高さより高い位置まで撓むことが好ましい。これによって、銜持部２４を銜えている使用者の顔面筋に負荷が作用して、顔面筋が鍛錬される。
【００１５】
図９〜図１３に示すように、前記コア２７の外周面には、前記マウスピース２８を掛止して保持するための凹凸部２７１が形成されている。マウスピース２８は、コア２７よりも軟質で滑りにくいポリウレタン等の軟質合成樹脂により形成されている。前記マウスピース２８の内周面には、コア２７の凹凸部２７１に係合可能な凹凸部２８１が形成されている。マウスピース２８の外周面の中央部の上下には、口唇によって銜えられる窪み部２８２が形成されている。図１３に示すように、この窪み部２８２の部分においてマウスピース２８の外周面は長径が左右方向に延びる楕円形に形成されている。従って、窪み部２８２の上下２箇所の位置の曲率は左右２箇所の位置の曲率より小さく、平坦であるため、銜えやすい。マウスピース２８の先端部の外周面には、凹部２８３が形成されている。マウスピース２８の先端面には、球面状の凸部２８４が形成されている。
【００１６】
マウスピース２８の基端にはアーム３１の表裏両側に位置する一対のフランジ２８５が形成されている。このフランジ２８５はマウスピース２８の他の部分より突出していて、図９に示すように、顔面筋鍛錬具２１をテーブル等の上面等の設置面１００に置いたときに、このフランジ２８５が前記設置面１００に接して、マウスピース２８が斜め上向きになる。従って、マウスピース２８の口唇によって銜えられる部分が設置面１００に接することを防止して、清潔さを保つことができる。
【００１７】
マウスピース２８は外形寸法等の異なった複数種が用意することができ、使用者はその口の大きさや形等に応じて適当なマウスピース２８を選択して、コア２７の外側に対して嵌着することができる。このマウスピース２８は、コア２７より軟質であって、その硬度は、例えば、ＪＩＳＫ６２５３に準拠したタイプＡによるデュロメータにおいて、６０度である。
【００１８】
図５及び図１４に示すように、前記被覆２３の両端位置には保持孔２９が形成されている。前記両ウェイト部２５は、この保持孔２９に着脱可能に取り付けられたウェイト３０により構成されている。そして、重量の異なる複数種のウェイト３０が用意することができ、使用者が要求する鍛錬度合い等に応じて任意の重さのウェイト３０が選択されて保持孔２９に着脱可能に取り付けられる。
【００１９】
この実施形態の顔面筋鍛錬具２１には顔面筋鍛錬具２１とともに顔面筋鍛錬具セットを構成するカバー５１が付属されている。
図２，図１５〜図１７に示すように、カバー５１は透明または半透明のポリプロピレン，ポリエチレン，ポリアミド樹脂等の合成樹脂によって構成され、中央の一体ヒンジ５２を介して一対の半割状のカバー片５３，５４が設けられている。カバー片５３，５４は一方が本体，他方が蓋体を構成するが、本実施形態では、図１５の下側のカバー片５３が本体、上側のカバー片５４が蓋体とする。両カバー片５３，５４はそれぞれ凹状に形成され、それらの間に収容空間５１１が形成されている。そして、顔面筋鍛錬具２１の銜持部２４及び被覆２３の中央部が収容空間５１１内に収容され、この部分がカバー５１によってカバーされる。一方のカバー片５３に掛止め爪５５が、他方のカバー片５４にはその掛止め爪５５が係合される受け部５６がそれぞれ形成され、カバー片５３，５４が閉じられたときに、掛止め爪５５と受け部５６との係合によりカバー５１が閉鎖状態に保持される。両カバー片５３，５４の側壁には凹部５８が形成されている。そして、両カバー片５３，５４の閉鎖時に、両凹部５８は前記アーム３１との干渉を避けてそのアーム３１を通すための開口５９を構成し、この開口５９の縁部とアーム３１の外周面との間には間隙６０が形成される。なお、この開口５９のエッジが形成されないように縁部は断面円弧状に形成したり、アーム３１との接触面積が広くなるように厚く形成したり、あるいは厚くかつ断面円弧状に形成することにより、アーム３１に傷や痕がつくことを防止できる。
【００２０】
次に、前記のように構成された顔面筋鍛錬具２１の使用方法を説明する。
この顔面筋鍛錬具２１は、図２に示すように、不使用時には顔面筋鍛錬具２１の中央部にカバー５１が取付けられて、銜持部２４が覆われている。従って、口唇で銜える部分である銜持部２４を清潔に維持することができる。また、カバー５１はマウスピース２８の外面にほぼ沿う形状になっているため、カバー５１の装着状態の顔面筋鍛錬具２１を専用のケースに収めて、携行や保管が可能となる。
【００２１】
顔面筋鍛錬具２１で顔面筋を鍛錬する場合には、カバー５１が取外される。なお、顔面筋鍛錬具２１の使用者の要求する鍛錬度合い等に応じて、あらかじめコア２７に所要の外形寸法のマウスピース２８が取り付けられるとともに、両ウェイト部２５の保持孔２９に必要な重さのウェイト３０が取り付けられる。この状態で、銜持部２４の窪み部２８２を口唇に銜えて顔を上下に揺動させる。このようにすると、口唇に対して顔面筋鍛錬具２１の重量が作用した状態で板バネよりなる弾性板２２を介して両ウェイト部２５が上下に共振され、その振動が銜持部２４に伝達される。これによって、口唇を介して顔面筋に負荷が与えられ、その顔面筋が鍛えられる。
【００２２】
この場合、銜持部２４がアーム３１の側縁から突出して、その側縁から外側へ変位した位置に配置されている。このため、顔面筋鍛錬具２１が片持ち状態で口唇に銜えられることになって、口唇に対する荷重負担が大きくなる。従って、共振による負荷が顔面筋に対する負荷として効率よく作用して、顔面筋が効果的に鍛えられる。このとき、前記窪み部２８２が横長の断面楕円形に形成されているため、口が丸く開いた状態でマウスピース２８を保持することができる。口を丸く開いた状態でマウスピース２８を保持することにより、口輪筋全体に共振によって生じる負荷を伝えることができる。また、口輪筋には笑筋等の表情筋がつながっているため、口輪筋を介して笑筋等も鍛錬することができて、効率的な鍛錬が可能になる。
【００２３】
この実施形態の顔面筋鍛錬具２１は弾性板２２が合成樹脂の被覆２３によってモールドされているため、アーム３１が撓んで共振する際、鍛錬のために得ようとしているアーム３１の上下振動以外の動き、例えば弾性板２２のねじれや微振動を抑えることができる。従って、使用者の口唇に対して邪魔な動きが伝えられることを少なくできて、顔面筋鍛錬具２１を快適に使用できる。なお、弾性板２２の全体をモールドすることに代えて、表裏両面あるいは表裏の一方の面に合成樹脂の板やシートを接着等によって固着してもよい。
【００２４】
前記マウスピース２８は、マウスピース２８は滑りにくく、適度な硬度のゴム性を有している。このため、銜えやすく、しかもアーム３１の振動による負荷を口唇に伝えることができる。マウスピース２８が硬すぎると、マウスピース２８が口唇に馴染まず、銜えにくい。逆に柔らかすぎると、銜えたとしても顔面筋鍛錬具２１を安定状態に維持し難く、しかもアーム３１の振動が吸収されて、鍛錬のための負荷が減少される。
【００２５】
この顔面筋鍛錬具２１を異なった使用者が使用する場合には、コア２７に対して外形寸法等の異なったマウスピース２８を脱着によって交換することにより、口の大きさや形が異なる使用者であっても、１つの顔面筋鍛錬具２１を共用することができる。
【００２６】
さらに、顔面筋の強さや鍛錬度合いに応じて、ウェイト部２５の保持孔２９内のウェイト３０を重さの異なった別のウェイト３０に交換することができる。
鍛錬終了後、マウスピース２８は必要に応じてコア２７から取り外されて、洗浄することができ、洗浄後のマウスピース２８は再びコア２７に取り付けられる。従って、マウスピース２８を清潔に保つことができて、衛生的である。その後、マウスピース２８を覆うように、カバー５１が鍛錬具２１に取り付けられる。
【００２７】
以上のように、マウスピース２８にカバー５１を被せることにより、鍛錬具２１を携行したり、保管したりする際においてマウスピース２８を清潔な状態に維持することができる。なお、コア２７から取外された単独のマウスピース２８を収容すれば、マウスピース２８を携行したり、保管したりする場合にマウスピース２８を清潔状態に保つことができる。
【００２８】
以下に、本実施形態の顔面筋鍛錬具２１の製造方法を説明する。
まず、図７に示す弾性板２２の中央部に弾性板２２をインサートとしてコア２７が射出成形される。
【００２９】
次いで、弾性板２２の両端側の一対の貫通孔２２２にブッシュ２６が無理嵌めされる。これによって、弾性板２２の表裏両面にブッシュ２６が突設される。
その後、図６に示すように、弾性板２２が成形型１０１内にセットされて、その型１０１内に被覆２３となる合成樹脂が射出される。このとき、合成樹脂の射出初期はその射出圧力が弾性板２２に対して均等に作用せず、同圧力が一時的に弾性板２２に対して不均一に作用する。このため、弾性板２２が湾曲して、その端縁のエッジ等によって成形型１０１のキャビティ１０２の成形面に擦過傷等がつくおそれがある。しかし、本実施形態においては、弾性板２２が湾曲した場合、ブッシュ２６がキャビティの成形面に当接して、弾性板２２が当接することは回避される。
【００３０】
従って、キャビティ１０２の成形面に傷がつくおそれを防止できる。キャビティ１０２内に合成樹脂が充填し終わった状態においては、射出圧力が弾性板２２全体に対して均等に作用するため、弾性板２２の湾曲がもとに戻って同弾性板２２はキャビティ１０２の中央部において直線状に延びる。従って、成形終了後、弾性板２２は成形された被覆２３内の定位置にモールドされる。
【００３１】
本実施形態においては、以下の効果がある。
（１）カバー５１は、一対のカバー片５３，５４の閉じた状態においてそれらの間に収容空間５１１が形成されるとともに、両カバー片５３，５４間の両側に開口５９が形成され、保持手段としての掛止め爪５５と受け部５６とにより両カバー片５３，５４を閉じた状態に保持することができる。従って、鍛錬具２１上のマウスピース２８をこのカバー５１によって覆う状態を維持できるため、銜持部２４にゴミ等が付着することを抑えることができて、マウスピースを清潔状態に保つことができる。また、マウスピース２８に擦過等による傷がつくことを防止できる。
【００３２】
（２）両カバー片５３，５４は一体ヒンジ５２を介して連結されているため、両カバー片５３，５４を紛失しにくくできるとともに、部品点数を減らすことができる。
（３）カバー５１の両側の開口５９の縁部と顔面筋鍛錬具２１のアーム３１との間に間隙６０が形成されるため、前記と同様にマウスピース２８をコア２７に装着させた状態のまま、前記と同様にマウスピース２８上の水を抜いたり、蒸発させたりすることができる。
【００３３】
（４）マウスピース２８単体を単独でカバー５１内に納めることができるため、マウスピース２８を清潔状態で単独で保管したり、携行したりすることできる。
（５）カバー５１を透明または半透明に形成したことにより、同カバー５１内のマウスピース２８の有無を一目で認識できる。
【００３４】
（他の実施形態）
次に、本発明の他の実施形態を前記の実施形態と異なる部分を中心に説明する。
図１８に示すように、カバー５１のカバー片５３，５４は、弾性ヒンジ６１を介して一体に連結されている。そして、カバー片５３，５４が弾性ヒンジ６１のバネ力によって閉じた状態に保持されるようになっており、そのバネ力に抗して開放させることができるようになっている。カバー５１は、閉じた状態において銜持部２４を収容して同部２４をカバーする。
【００３５】
カバー片５３，５４はその前後寸法が短くなっていて、カバー片５３，５４には収容空間５１１を形成する部分は有しているが、アーム３１を覆う部分は形成されていない。従って、マウスピース２８を覆う状態でアーム３１は露出される。
【００３６】
この実施形態では以下の効果がある。
（６）カバー片５３，５４が短くなっているため、カバー５１全体が小形，軽量化される。
【００３７】
（７）カバー片５３，５４が弾性ヒンジ６１によって閉じる方向に付勢されているため、カバー片５３，５４が不本意に開くことを防止できる。
（変更例）
なお、前記両実施形態は以下のように変更して具体化することも可能である。
【００３８】
・本体を構成するカバー片が銜持部２４の全体を収容する深い凹状に形成され、蓋体を構成するカバー片は本体の上部開口を開閉する板状に形成されるように構成すること。
・図１３に２点鎖線で示すとともに、図１９に示すように、カバー５１として、一端を閉鎖するとともに、他端を開放した筒状の形状に形成すること。このように構成したカバー５１は、その他端の開放部側から銜持部２４に嵌合されて同部２４に被せられる。このように構成した場合は、全体が一部品ですむため、部品点数が少なくなるとともに、掛止め爪５５や受け部５６が不要になって、構成が簡素化される。
【００３９】
・マウスピース２８をコア２７に一体成形や接着，あるいは溶着によって固定したり、コア２７を設けることなく、弾性板２２に直接固定したりすること。
・コア２７を設けることなく、マウスピース２８を弾性板２２に着脱可能に取り付けること。
【００４０】
・ウェイト３０をアーム３１に対して一体成形や接着，あるいは溶着によって固定すること。
・ウェイト３０を設けることなく、弾性板２２や被覆２３がウェイト３０に代えて負荷のための荷重として作用するように構成すること。このためには、弾性板２２や被覆２３の両端部を大きくしたり、厚くしたりするのがよい。
【００４１】
・カバー５１よって顔面筋鍛錬具２１全体が覆われるように、カバー５１の全体形状を顔面筋鍛錬具２１の外形と相似形に形成すること。
・両カバー片５３，５４を分離可能に構成すること。
【００４２】
・カバー５１に銀コーティング等を施したり、カバー５１を構成する合成樹脂中に粉状抗菌材を練り込んだりして、カバー５１に滅菌機能を付与すること。
・少なくとも一方のカバー片５３の壁部に単一または複数の透孔を形成すること。このように構成すれば、マウスピース２８の洗浄後の残留水分が前記透孔から外部に流れ出たり、蒸発されたりする。
【００４３】
・図１に２点鎖線で示すように、保持孔２９の近傍における弾性板２２の両端位置に緩和部材３２を設けること。この緩和部材３２は被覆２３より硬質の合成樹脂よりなり、被覆２３の表面と連続する表面を有するように被覆２３に埋設されている。また、この緩和部材３２の内側面に突出された図示しないピンが弾性板２２の両端の小孔２２４に嵌合されて緩和部材３２が固定される。緩和部材３２は、弾性板２２の両端に作用する集中応力を緩和して、被覆２３の亀裂等を防止する。
【符号の説明】
【００４４】
２１…顔面筋鍛錬具、２２…弾性板、２２２…コーナ部、２３…被覆、２４…銜持部、２５…ウェイト部、２７…コア、２８…マウスピース、２８２…窪み部、２９…保持孔、３０…ウェイト、５１…カバー、５３…カバー片、５９…開口。
【図１】
2015208656.tif 000003
【図２】
2015208656.tif 000004
【図３】
2015208656.tif 000005
【図４】
2015208656.tif 000006
【図５】
2015208656.tif 000007
【図６】
2015208656.tif 000008
【図７】
2015208656.tif 000009
【図８】
2015208656.tif 000010
【図９】
2015208656.tif 000011
【図１０】
2015208656.tif 000012
【図１１】
2015208656.tif 000013
【図１２】
2015208656.tif 000014
【図１３】
2015208656.tif 000015
【図１４】
2015208656.tif 000016
【図１５】
2015208656.tif 000017
【図１６】
2015208656.tif 000018
【図１７】
2015208656.tif 000019
【図１８】
2015208656.tif 000020
【図１９】
2015208656.tif 000021